【手続補正書】
【提出日】平成27年11月17日(2015.11.17)
【手続補正１】
【補正対象書類名】明細書
【補正対象項目名】００７７
【補正方法】変更
【補正の内容】
【００７７】
【表７】
2015500056.tif 000001
本発明の実施態様の一部を以下の項目［１］−［２６］に記載する。
［１］
吸収性材料に近接する不織布ウェブを含む複合中間材であって、前記不織布ウェブは、平均直径２０〜５００マイクロメートルの複数の結合短繊維を含み、前記ウェブの厚さは３〜２０ｍｍ、密度は０．０１〜０．１０ｇ／ｃｍ３の範囲、圧縮仕事は２０ｋＪ／ｍ３以下である、複合中間材。
［２］
前記不織布ウェブは熱可塑性不織布ウェブである、項目１に記載の複合中間材。
［３］
前記短繊維の平均直径は２００又は１００マイクロメートル以下である、項目１又は２に記載の複合中間材。
［４］
前記ウェブの圧縮仕事が１５ｋＪ／ｍ３以下である、項目１〜３のいずれかに記載の複合中間材。
［５］
前記ウェブの圧縮仕事が１０ｋＪ／ｍ３以下である、項目４に記載の複合中間材。
［６］
前記ウェブの坪量は１００ｇｓｍ〜４００ｇｓｍの範囲である、項目１〜５のいずれかに記載の複合中間材。
［７］
前記ウェブの坪量は３００ｇｓｍ未満である、項目１〜５のいずれかに記載の複合中間材。
［８］
前記ウェブの厚さは１０ｍｍ以下である、項目１〜７のいずれかに記載の複合中間材。
［９］
前記ウェブの密度は０．０２〜０．１０ｇ／ｃｍ３の範囲である、項目１〜８のいずれかに記載の複合中間材。
［１０］
前記ウェブの密度は０．０５ｇ／ｃｍ３以下である、項目９に記載の複合中間材。
［１１］
前記不織布ウェブが示す生理食塩水溶液の垂直方向のウィッキングは、５、４、３、２、又は１ｍｍ以下である、項目１〜１０のいずれかに記載の複合中間材。
［１２］
前記不織布ウェブは親水性繊維及び超吸収性ポリマーを含まない、項目１１に記載の複合中間材。
［１３］
前記不織布ウェブが、
４ｋｇ重量で１５秒以下の流体移送速度、
１２ｋｇ重量で３０秒以下の流体移送速度、及び
２４ｋｇ重量で６０秒以下の流体移送速度から選択される流体移送速度特性のいずれか１つ又は組み合わせを示す、項目１〜１２のいずれかに記載の複合中間材。
［１４］
前記不織布ウェブは、第１主面と、前記第１主面に対してほぼ平行な第２対向主面と、前記第１及び対向主面に直交する方向に厚みと、を含み、前記厚みは側縁を画定し、前記吸収性材料は少なくとも１つの側縁に接触している、項目１〜１３のいずれかに記載の複合中間材。
［１５］
前記不織布ウェブの少なくとも２つの対向する側縁は前記吸収性材料に接触している、項目１４に記載の複合中間材。
［１６］
前記不織布ウェブの側縁全ては、前記吸収性材料に接触している、項目１４又は１５に記載の複合中間材。
［１７］
前記不織布の２つの対向する側縁は流体を透過しない、項目１４又は１５に記載の複合中間材。
［１８］
前記吸収性材料はセルロース繊維及び超吸収性ポリマーを含む、項目１〜１７のいずれかに記載の複合中間材。
［１９］
前記熱可塑性不織布ウェブ及び／又は前記吸収性材料は基材上に配置される、項目１〜１８のいずれかに記載の複合中間材。
［２０］
前記複合中間材が、
４ｋｇ重量で１０秒以下の流体取り込み速度、及び
１２ｋｇ重量で３０秒以下の流体取り込み速度から選択される流体取り込み速度特性のいずれか１つ又は組み合わせを示す、項目１〜１９のいずれかに記載の複合中間材。
［２１］
前記複合中間材が、
４ｋｇ重量で少なくとも１００ｍｍの長手方向流体分散の長さ、及び
１２ｋｇ重量で少なくとも１００ｍｍの長手方向流体分散の長さから選択される長手方向流体分散特性の長さのいずれか１つ又は組み合わせを示す、項目１〜２０のいずれかに記載の複合中間材。
［２２］
前記複合中間材は、１つ又は２つの流体負荷による前記流体取り込み特性及び／又は長手方向流体分散特性の長さを示す、項目２０又は２１に記載の複合中間材。
［２３］
個人用衛生物品ではない、項目１〜２２のいずれかに記載の前記吸収性複合中間材を含む吸収性物品。
［２４］
前記熱可塑性不織布ウェブの第１主面の少なくとも一部は、トップシート又は流体捕捉分散層と流体連通している、項目２３に記載の吸収性物品。
［２５］
前記熱可塑性不織布ウェブの第２対向主面の少なくとも一部は、流体不透過性バックシートと接触している、項目２３又は２４に記載の吸収性物品。
［２６］
前記熱可塑性不織布ウェブと、前記吸収性材料又は前記トップシート又は前記流体分散捕捉層又は前記バックシート又はそれらの組み合わせとの間に織物層が存在する、項目２４又は２５に記載の吸収性物品。
【手続補正２】
【補正対象書類名】特許請求の範囲
【補正対象項目名】全文
【補正方法】変更
【補正の内容】
【特許請求の範囲】
【請求項１】
吸収性材料に近接する不織布ウェブを含む複合中間材であって、前記不織布ウェブは、平均直径２０〜５００マイクロメートルの複数の結合短繊維を含み、前記ウェブの厚さは少なくとも３〜２０ｍｍ、密度は０．０１〜０．１０ｇ／ｃｍ３の範囲、圧縮仕事は２０ｋＪ／ｍ３以下である、複合中間材。
【請求項２】
前記ウェブの坪量は１００ｇｓｍ〜４００ｇｓｍの範囲である、請求項１に記載の複合中間材。
【請求項３】
前記不織布ウェブが示す生理食塩水溶液の垂直方向のウィッキングは、５、４、３、２、又は１ｍｍ以下である、請求項１又は２に記載の複合中間材。
【請求項４】
前記不織布ウェブは親水性繊維及び超吸収性ポリマーを含まない、請求項３に記載の複合中間材。
【請求項５】
前記不織布ウェブが、
４ｋｇ重量で１５秒以下の流体移送速度、
１２ｋｇ重量で３０秒以下の流体移送速度、及び
２４ｋｇ重量で６０秒以下の流体移送速度から選択される流体移送速度特性のいずれか１つ又は組み合わせを示す、請求項１〜４のいずれか一項に記載の複合中間材。
【請求項６】
前記不織布ウェブは、第１主面と、前記第１主面に対してほぼ平行な第２対向主面と、前記第１及び対向主面に直交する方向に厚みと、を含み、前記厚みは側縁を画定し、前記吸収性材料は少なくとも１つの側縁に接触している、請求項１〜５のいずれか一項に記載の複合中間材。
【請求項７】
前記不織布ウェブの少なくとも２つの対向する側縁は前記吸収性材料に接触している、請求項６に記載の複合中間材。
【請求項８】
前記不織布ウェブの側縁全ては、前記吸収性材料に接触している、請求項６又は７に記載の複合中間材。
【請求項９】
前記不織布の２つの対向する側縁は流体を透過しない、請求項６又は７に記載の複合中間材。
【請求項１０】
前記熱可塑性不織布ウェブ及び／又は前記吸収性材料は基材上に配置される、請求項１〜９のいずれか一項に記載の複合中間材。
【請求項１１】
前記複合中間材が、
４ｋｇ重量で１０秒以下の流体取り込み速度、及び
１２ｋｇ重量で３０秒以下の流体取り込み速度から選択される流体取り込み速度特性のいずれか１つ又は組み合わせを示す、請求項１〜１０のいずれか一項に記載の複合中間材。
【請求項１２】
個人用衛生物品ではない、請求項１〜１１のいずれか一項に記載の前記吸収性複合中間材を含む吸収性物品。
【請求項１３】
前記熱可塑性不織布ウェブの第１主面の少なくとも一部は、トップシート又は流体捕捉分散層と流体連通している、請求項１３に記載の吸収性物品。
【請求項１４】
前記熱可塑性不織布ウェブの第２対向主面の少なくとも一部は、流体不透過性バックシートと接触している、請求項１２又は１３に記載の吸収性物品。
【請求項１５】
前記熱可塑性不織布ウェブと、前記吸収性材料又は前記トップシート又は前記流体分散捕捉層又は前記バックシート又はそれらの組み合わせとの間に織物層が存在する、請求項１３又は１４に記載の吸収性物品。